(57)【要約】【課題】容易な操作でセンサ装置をモニタ装置に登録可能な状態監視システムを提供すること。【解決手段】センサ装置２０は、モニタ側リードＳＷ６０により検出されるセンサ側磁石２７と、モニタ側磁石６１が検出可能領域内に近接されたことを検出するセンサ側リードＳＷ２４と、センサ側リードＳＷ２４によりモニタ側磁石６１が検出された場合にＩＤコードを送信するセンサ側マイコンとを備える。モニタ装置５０は、モニタ側磁石６１と、センサ側磁石２７が検出可能領域内に近接されたことを検出するモニタ側リードＳＷ６０と、モニタ側リードＳＷ６０によりセンサ側磁石２７が検出された場合にＩＤコードをセンサ装置２０を識別するものとしてモニタ装置５０に登録するモニタ側マイコンとを備える。【選択図】      図６
2006029022.tif 000002
【特許請求の範囲】
【請求項１】
監視対象の状態を検出して該監視対象の状態を示す状態信号及びＩＤコードを送信するセンサ装置と、該センサ装置のＩＤコードを自らに登録することにより前記センサ装置を識別して前記監視対象の状態を前記状態信号に基づいて監視するモニタ装置とを備えた状態監視システムにおいて、
前記センサ装置は、前記モニタ装置が備えるモニタ側検出手段により検出されるセンサ側被検出体と、前記モニタ装置が備えるモニタ側被検出体が検出可能領域内に近接されたことを検出するセンサ側検出手段と、前記センサ側検出手段により前記モニタ側被検出体が検出された場合に前記ＩＤコードを送信するセンサ側制御手段とを備え、
前記モニタ装置は、前記センサ側検出手段により検出されるモニタ側被検出体と、前記センサ側被検出体が検出可能領域内に近接されたことを検出するモニタ側検出手段と、前記モニタ側検出手段により前記センサ側被検出体が検出された場合に前記ＩＤコードを前記センサ装置を識別するものとして該モニタ装置に登録するモニタ側制御手段とを備えることを特徴とする状態監視システム。
【請求項２】
前記センサ側被検出体及び前記モニタ側被検出体の各々は、磁界を発生する磁石であり、前記センサ側検出手段及び前記モニタ側検出手段の各々は、磁界を検出する磁気検出手段であることを特徴とする請求項１に記載の状態監視システム。
【請求項３】
前記モニタ装置には、前記センサ装置を載置可能な載置面が形成され、
前記モニタ側被検出体は、前記センサ装置が前記載置面に載置された状態において前記センサ側検出手段と対向する位置に設けられ、
前記センサ側被検出体は、前記センサ装置が前記載置面に載置された状態において前記モニタ側検出手段と対向する位置に設けられていることを特徴とする請求項１または請求項２に記載の状態監視システム。
【請求項４】
前記監視対象は開閉体であり、
前記開閉体の開閉動作または施解錠動作に連動して前記センサ装置の前記磁気検出手段に接近または遠ざかる被検出磁石を備え、
前記センサ装置の前記磁石は、前記被検出磁石が前記センサ装置の前記磁気検出手段に接近した際に該磁気検出手段が検出する磁界よりも小さな磁界を該磁気検出手段に印加するような位置に配置され、
前記センサ側制御手段は、前記被検出磁石から発生される磁界が前記センサ装置の前記磁気検出手段で検出されることにより前記開閉体の開閉状態または施解錠状態を認識することを特徴とする請求項２または請求項３に記載の状態監視システム。
【発明の詳細な説明】
【技術分野】
【０００１】
本発明は、例えば建物の窓等の施解錠状態を監視する状態監視システムに関するものである。
【背景技術】
【０００２】
従来、この種の状態監視システムとして、例えば特許文献１に示される「建物用施錠装置の施解錠状態監視装置」が提案されている。施解錠状態監視装置は、建物の窓に配設されたセンサ装置と該センサ装置と通信可能なモニタ装置とから構成されている。センサ装置は、窓のクレセント錠の施解錠状態を検出してその施解錠状態を示す状態信号を送信する。状態信号を受信したモニタ装置は、状態信号に基づいて窓の施解錠状態を監視するとともに、その施解錠状態をＬＥＤ等によって表示する。このような施解錠状態監視装置によれば、ユーザ（家人）は、窓の施解錠状態をＬＥＤ表示により的確に監視することができる。
【特許文献１】特開２００２−１１５４２９号公報
【発明の開示】
【発明が解決しようとする課題】
【０００３】
ところで、センサ装置から送信されてくる状態信号に基づいてモニタ装置で窓の施解錠状態を監視するためには、事前にモニタ装置にセンサ装置を登録しておく必要がある。この登録作業は、センサ装置を監視対象（例えば窓）に設置した後、センサ装置を一定の態様で操作することによりモニタ装置を登録モードに移行させ、この状態でセンサ装置からＩＤコードを送信させることにより行われる。一方、モニタ装置は、センサ装置の登録完了時には例えばブザーを鳴動させることによりその旨を報知する。しかしながら、センサ装置とモニタ装置とが離れた状態で登録作業が行われるため、例えば周囲の雑音等によってセンサ装置の登録完了を確認し難いという問題があった。また、監視対象を順次登録するための操作を行うためにはモニタ装置にその都度出向く必要があり、監視対象が多い程、登録作業が煩雑となっていた。
【０００４】
本発明は、こうした実情に鑑みてなされたものであり、その目的は、容易な操作でセンサ装置をモニタ装置に登録可能な状態監視システムを提供することにある。
【課題を解決するための手段】
【０００５】
上記の課題を解決するために、請求項１に記載の発明では、監視対象の状態を検出して該監視対象の状態を示す状態信号及びＩＤコードを送信するセンサ装置と、該センサ装置のＩＤコードを自らに登録することにより前記センサ装置を識別して前記監視対象の状態を前記状態信号に基づいて監視するモニタ装置とを備えた状態監視システムにおいて、前記センサ装置は、前記モニタ装置が備えるモニタ側検出手段により検出されるセンサ側被検出体と、前記モニタ装置が備えるモニタ側被検出体が検出可能領域内に近接されたことを検出するセンサ側検出手段と、前記センサ側検出手段により前記モニタ側被検出体が検出された場合に前記ＩＤコードを送信するセンサ側制御手段とを備え、前記モニタ装置は、前記センサ側検出手段により検出されるモニタ側被検出体と、前記センサ側被検出体が検出可能領域内に近接されたことを検出するモニタ側検出手段と、前記モニタ側検出手段により前記センサ側被検出体が検出された場合に前記ＩＤコードを前記センサ装置を識別するものとして該モニタ装置に登録するモニタ側制御手段とを備えることを要旨とする。
【０００６】
請求項２に記載の発明では、請求項１に記載の状態監視システムにおいて、前記センサ側被検出体及び前記モニタ側被検出体の各々は、磁界を発生する磁石であり、前記センサ側検出手段及び前記モニタ側検出手段の各々は、磁界を検出する磁気検出手段であることを要旨とする。
【０００７】
請求項３に記載の発明では、請求項１または請求項２に記載の状態監視システムにおいて、前記モニタ装置には、前記センサ装置を載置可能な載置面が形成され、前記モニタ側被検出体は、前記センサ装置が前記載置面に載置された状態において前記センサ側検出手段と対向する位置に設けられ、前記センサ側被検出体は、前記センサ装置が前記載置面に載置された状態において前記モニタ側検出手段と対向する位置に設けられていることを要旨とする。
【０００８】
請求項４に記載の発明では、請求項２または請求項３に記載の状態監視システムにおいて、前記監視対象は開閉体であり、前記開閉体の開閉動作または施解錠動作に連動して前記センサ装置の前記磁気検出手段に接近または遠ざかる被検出磁石を備え、前記センサ装置の前記磁石は、前記被検出磁石が前記センサ装置の前記磁気検出手段に接近した際に該磁気検出手段が検出する磁界よりも小さな磁界を該磁気検出手段に印加するような位置に配置され、前記センサ側制御手段は、前記被検出磁石から発生される磁界が前記センサ装置の前記磁気検出手段で検出されることにより前記開閉体の開閉状態または施解錠状態を認識することを要旨とする。
【０００９】
以下、本発明の作用について説明する。
請求項１または請求項２に記載の発明によれば、センサ装置をモニタ装置に近接させると、センサ装置からＩＤコードが送信され、該ＩＤコードを受信したモニタ装置は該ＩＤコードを自らに登録する。このため、何ら操作部を操作することなくセンサ装置のＩＤコードをモニタ装置に登録することができる。したがって、モニタ装置の近くでセンサ装置の登録作業を行うことができるとともに、容易な操作でセンサ装置をモニタ装置に登録することができる。
【００１０】
請求項３に記載の発明によれば、センサ装置がモニタ装置の載置面に載置された状態においては、センサ側検出手段とモニタ側被検出体とが対向するとともに、モニタ側検出手段とセンサ側被検出体とが対向する。このため、モニタ装置の載置面にセンサ装置を載置することにより、センサ装置のＩＤコードをモニタ装置へ確実に登録することができる。
【００１１】
請求項４に記載の発明によれば、センサ装置は、モニタ装置が備える磁石（モニタ側磁石）の磁界を検出する磁気検出手段を用いて被検出磁石の磁界を検出する。つまり、センサ装置の磁気検出手段は、開閉体の開閉状態または施解錠状態を検出するとともに、モニタ側磁石の磁界を検出する。このため、モニタ側磁石の磁界を検出するための新たな検出手段を設けたり、またはこれとは反対に、開閉体の開閉状態または施解錠状態を検出するための新たな検出手段を設けたりする必要がない。したがって、本発明の状態監視システムによれば、センサ装置の大型化を抑制することができる。
【００１２】
また、センサ装置が備える磁石（センサ側磁石）は、被検出磁石がセンサ装置の磁気検出手段（センサ側磁気検出手段）に接近した際にセンサ側磁気検出手段が検出する磁界よりも小さな磁界をセンサ側磁気検出手段に印加するような位置に配置されている。すなわち、センサ側磁石は、センサ側磁気検出手段が被検出磁石の磁界を検出することで、センサ側制御手段によって開閉体の開閉状態または施解錠状態が確実に認識される位置に配置されている。よって、センサ側磁石の存在によってセンサ側制御手段が開閉体の開閉状態または施解錠状態を誤認識することがない。したがって、本発明の状態監視システムによれば、建物のセキュリティレベルの低下を抑制することができる。
【発明の効果】
【００１３】
本発明によれば、容易な操作でセンサ装置をモニタ装置に登録可能な状態監視システムを提供することができる。
【発明を実施するための最良の形態】
【００１４】
以下、本発明を住宅用セキュリティシステムとして具体化した一実施形態を図１〜図７に基づいて詳細に説明する。
図１に示すように、住宅１は、監視対象及び開閉体としての窓２，３，４，５及び玄関ドア６を備えている。窓２にはセンサ装置としての第１センサ装置１０が、窓３にはセンサ装置としての第２センサ装置２０が、窓４にはセンサ装置としての第３センサ装置３０が、そして窓５にはセンサ装置としての第４センサ装置４０がそれぞれ配設されている。センサ装置１０，２０，３０，４０は、それぞれ固有のＩＤコード及び登録用ＩＤコードを有している。センサ装置１０，２０，３０，４０は、それぞれ同様の構成である。
【００１５】
住宅１において屋内側壁の玄関ドア６の近傍には、モニタ装置５０が設置されている。センサ装置１０，２０，３０，４０は、モニタ装置５０と通信可能となっている。本実施形態においては、センサ装置１０，２０，３０，４０とモニタ装置５０とによってセキュリティシステム８０（状態監視システム）が構成されている。
【００１６】
前述したようにセンサ装置１０，２０，３０，４０はそれぞれ同様の構成であるため、以下、第２センサ装置２０及びモニタ装置５０について詳細に説明し、センサ装置１０，３０，４０については、その詳細な説明を省略する。
【００１７】
図２に示すように、第２センサ装置２０は、電池２１、センサ側制御手段としてのセンサ側マイクロコンピュータ（センサ側マイコン）２２、センサ側送信回路２３、センサ側検出手段及び磁気検出手段としてのセンサ側リードスイッチ（センサ側リードＳＷ）２４、及びセンサ側被検出体としてのセンサ側磁石２７を備えている。
【００１８】
第２センサ装置２０は、図３に示すように、引き違い式の窓３に配設されている。窓３はそれぞれスライド開閉可能な内障子７と外障子８とによって構成されている。内障子７の側面（召合せ框）７ａには、クレセント錠９が配設されている。このクレセント錠９は、回動可能な施錠レバー９ａと、その施錠レバー９ａと連動するフック部９ｂとを備えている。外障子８の召合せ框には図示しない嵌合部が形成されており、フック部９ｂと嵌合部とが嵌合することによって窓３が施錠される。なお、本実施形態では、施錠レバー９ａが図３に一点鎖線で示す位置まで回動されたとき、フック部９ｂと嵌合部とが嵌合するようになっている。
【００１９】
第２センサ装置２０は、正面視で略長方形状をなしている。センサ側リードＳＷ２４は、第２センサ装置２０の下端中央付近に埋設されている。この第２センサ装置２０は、内障子７の側面７ａにおいて、クレセント錠９の上方に配設されている。詳しくは、第２センサ装置２０は、クレセント錠９の上方において、施錠レバー９ａが施錠位置にあるときにセンサ側リードＳＷ２４と施錠レバー９ａとが対向する位置に配設されている。
【００２０】
施錠レバー９ａ内には被検出磁石２５が埋設されており、施錠レバー９ａが施錠位置にあるときには、被検出磁石２５とセンサ側リードＳＷ２４とが対向した状態で近接するようになっている。このため、センサ側リードＳＷ２４は、クレセント錠９の施錠状態（図３に一点鎖線で示す）においてオン状態となり、クレセント錠９の解錠状態（図３に二点鎖線で示す）でオフ状態となる。
【００２１】
図４に示すように、第２センサ装置２０においてセンサ側リードＳＷ２４が埋設されている側と反対側の端部（図４における上端部）には、略直方体状の電池収容部２８が第２センサ装置２０の外側方向に開口するように凹設されている。電池収容部２８の開口縁近傍には、図示しないねじ孔が形成されている。この電池収容部２８には、電池２１が収容され、同電池収容部２８は電池カバー２６により覆われる。
【００２２】
電池カバー２６は、断面略Ｌ字状をなす板状に形成されている。電池カバー２６には、電池収容部２８の開口縁近傍のねじ穴と対向する位置に貫通孔２６ａが形成されている。電池カバー２６が第２センサ装置２０（センサ本体）に組み付けられた際に電池収容部２８と対向する電池カバー２６の面には、扁平状に形成された四角板状のセンサ側磁石２７が貼付されている。このセンサ側磁石２７は、電池カバー２６を組み付けた状態において、同センサ側磁石２７の発する磁界によってセンサ側リードＳＷ２４がオン状態とならない程度にセンサ側リードＳＷ２４から離れた位置に貼付されている。すなわち、センサ側磁石２７は、被検出磁石２５がセンサ側リードＳＷ２４に接近した際にセンサ側リードＳＷ２４がオン状態となる磁界よりも小さな磁界をセンサ側リードＳＷ２４に印加するような位置に配置されている。電池カバー２６は、図示しないねじが貫通孔２６ａを介して電池収容部２８の開口縁近傍のねじ穴に螺合されることにより組み付けられる。
【００２３】
図２に示すように、電池２１は、センサ側マイコン２２及びセンサ側送信回路２３に対して電力を供給する。センサ側送信回路２３は、センサ側マイコン２２から入力されたＩＤ信号を変調して送信する。
【００２４】
センサ側マイコン２２は、図示しないＣＰＵ及びＲＯＭを備えている。ＲＯＭには、第２センサ装置２０に固有のＩＤコード及び登録用ＩＤコードが予め記録されている。センサ側マイコン２２は、初期状態、例えば工場出荷状態においてセンサ側リードＳＷ２４がオン状態となった場合、登録モードとなって登録用ＩＤコードをセンサ側送信回路２３に出力する。すなわち、センサ側マイコン２２は、センサ側リードＳＷ２４が磁界を検出することができる領域（検出可能領域）内に後述するモニタ側磁石６１が近接され、この近接されたことがセンサ側リードＳＷ２４により検出された場合、第２センサ装置２０を登録モードに移行させて登録用ＩＤコードを出力する。その後、センサ側マイコン２２は、第２センサ装置２０を登録モードから監視モードに切り換える。
【００２５】
監視モードにおいてセンサ側マイコン２２は、センサ側リードＳＷ２４のオン・オフ状態を監視し、オン状態からオフ状態に変化した場合にはＩＤコード及び開コードを含むＩＤ信号（状態信号）を、オフ状態からオン状態に変化した場合にはＩＤコード及び閉コードを含むＩＤ信号（状態信号）をセンサ側送信回路２３に出力する。また、センサ側マイコン２２は、所定時間が経過する毎にセンサ側リードＳＷ２４のオン・オフ状態を検出して、閉コードまたは開コードを含むＩＤ信号をセンサ側送信回路２３に出力する。
【００２６】
図２に示すように、モニタ装置５０は、電源回路５１、バックアップ電池５２、受信回路５３ａ、モニタ側送信回路５３ｂ、モニタ側制御手段としてのモニタ側マイクロコンピュータ（モニタ側マイコン）５４、インタフェース部５５、及びモニタ側検出手段及び磁気検出手段としてのモニタ側リードスイッチ（モニタ側リードＳＷ）６０を備えている。また、モニタ装置５０は、モニタ側被検出体としてのモニタ側磁石６１を備えている。
【００２７】
電源回路５１には、家庭用電源であるＡＣ１００Ｖ電源及びバックアップ電池５２が接続されている。電源回路５１は、図示しない降圧回路を備え、入力されたＡＣ１００Ｖの電圧を降圧して受信回路５３ａ、モニタ側送信回路５３ｂ、及びモニタ側マイコン５４に電力を供給する。また、電源回路５１は、ＡＣ１００Ｖ電源の電圧降下から停電を検知した場合には、受信回路５３ａ、モニタ側送信回路５３ｂ及びモニタ側マイコン５４にバックアップ電池５２から電力を供給するようになっている。
【００２８】
受信回路５３ａは、センサ装置１０，２０，３０，４０から送信されてくる信号を受信すると、これら受信した各信号を復調してモニタ側マイコン５４に出力する。モニタ側送信回路５３ｂは、モニタ側マイコン５４から入力された信号を変調して送信する。
【００２９】
インタフェース部５５は、図５に併せ示すように、モード切換スイッチ（モード切換ＳＷ）５６、施解錠状態表示部５７、警報ブザー５８、及びモード表示部５９を備えている。これらモード切換ＳＷ５６、施解錠状態表示部５７、警報ブザー５８、及びモード表示部５９は、いずれもモニタ装置５０の意匠面に設けられている。モード切換ＳＷ５６は、押圧操作されると、その操作信号をモニタ側マイコン５４に出力する。施解錠状態表示部５７は、第１ＬＥＤ５７ａ、第２ＬＥＤ５７ｂ、第３ＬＥＤ５７ｃ、第４ＬＥＤ５７ｄ等の複数のＬＥＤを備え、各ＬＥＤ５７ａ，５７ｂ，５７ｃ，５７ｄの下方には監視対象を示す表記がそれぞれ施されている。これらＬＥＤ５７ａ，５７ｂ，５７ｃ，５７ｄは、モニタ側マイコン５４からの指示に基づいて赤色または緑色に発光する。警報ブザー５８は、モニタ側マイコン５４から警報信号が入力された場合に鳴動する。モード表示部５９は、警戒モードＬＥＤ及び監視モードＬＥＤにより構成され、各ＬＥＤは、モニタ側マイコン５４からの指示に基づいて点灯する。
【００３０】
施解錠状態表示部５７の中央部には、鉤状をなす４つのマーク６２，６３，６４，６５が設けられている。これら、４つのマーク６２，６３，６４，６５は、施解錠状態表示部５７の表面において長方形の角を構成するようにそれぞれ配置され、密着位置指定マーク６６を構成している。本実施形態においては、密着位置指定マーク６６で囲まれた領域が載置面となっている。密着位置指定マーク６６で囲まれた領域の大きさは、第２センサ装置２０の正面視における大きさとほぼ同一となるように設定されている。なお、密着位置指定マーク６６の形状は、４つの鉤状のマークが集合して構成される形状に限定されず、例えば、単一の長方形の形状でもよい。また、密着位置指定マーク６６は、凹状または凸状に形成されていてもよい。
【００３１】
載置面の一方の端部には、第２センサ装置２０が載置面上に載置された際にセンサ側磁石２７と対向する箇所にモニタ側リードＳＷ６０が埋設されている。また、載置面の他方の端部には、第２センサ装置２０が載置面上に載置された際にセンサ側リードＳＷ２４と対向する箇所にモニタ側磁石６１が埋設されている。これらモニタ側リードＳＷ６０及びモニタ側磁石６１は、モニタ側磁石６１の発する磁界によってモニタ側リードＳＷ６０がオン状態とならないような距離だけ離れてそれぞれ配置されている。ちなみに、密着位置指定マーク６６で囲まれた領域内には、第２センサ装置２０の電池カバー２６の形状に対応する向き指定マーク６６ａが設けられている。これにより、第２センサ装置２０を載置面に載置する際に、第２センサ装置２０の表裏及び左右の向きを特定できるように配慮されている。
【００３２】
モニタ側マイコン５４は、図示しないＣＰＵ及びＲＡＭを備えている。モニタ側マイコン５４は、モニタ側リードＳＷ６０がオン状態となったときにはモニタ装置５０を登録モードに移行させる。すなわち、モニタ側マイコン５４は、モニタ側リードＳＷ６０が磁界を検出することができる領域（検出可能領域）内にセンサ側磁石２７が近接され、この近接されたことがモニタ側リードＳＷ６０により検出された場合にモニタ装置５０を登録モードに移行させる。登録モードにおいてモニタ側マイコン５４は、施解錠状態表示部５７のＬＥＤ５７ａ，５７ｂ，５７ｃ，５７ｄのうち一つを緑色点滅させる。また、登録モードにおいてモード切換ＳＷ５６が押圧操作された場合、モニタ側マイコン５４は、緑色点滅させるＬＥＤ５７ａ，５７ｂ，５７ｃ，５７ｄを順次切り換える。そして、モニタ側マイコン５４は、センサ装置１０，２０，３０，４０から送信された登録信号を受信した場合、登録信号に含まれる登録用ＩＤコードと緑色点滅させているＬＥＤ５７ａ，５７ｂ，５７ｃ，５７ｄとを対応付けてＲＡＭに記録する。すなわち、登録モードにおいてモニタ側マイコン５４は、センサ装置１０，２０，３０，４０を自らに登録する。その後、モニタ側マイコン５４は、登録したセンサ装置１０，２０，３０，４０に対応するＬＥＤ５７ａ，５７ｂ，５７ｃ，５７ｄを緑色に点灯させて、モニタ装置５０を登録モードから通常モードに切り換える。
【００３３】
例えば、モニタ側マイコン５４は、モード切換ＳＷ５６の押圧操作に基づいて第４ＬＥＤ５７ｄを緑色点滅させている状態において第２センサ装置２０からの登録信号を受信した場合、第２センサ装置２０の登録用ＩＤコードと第４ＬＥＤ５７ｄとを対応付けてＲＡＭに記録する。そして、モニタ側マイコン５４は、第４ＬＥＤ５７ｄを緑色点灯させることにより登録の完了を報知して、登録モードから通常モードに切り換える。
【００３４】
通常モードにおいてモニタ側マイコン５４は、モード切換ＳＷ５６の押圧操作に応じて警戒モードと監視モードとを選択的に切り換える。監視モードまたは警戒モードにおいてモニタ側マイコン５４は、センサ装置１０，２０，３０，４０から送信されたＩＤ信号を受信した場合、ＩＤ信号に含まれるＩＤコードからセンサ装置１０，２０，３０，４０を特定し、各ＩＤ信号に含まれる開コードまたは閉コードに基づいて施解錠状態表示部５７を作動させる。モニタ側マイコン５４は、受信したＩＤ信号に閉コードが含まれている場合、対応するＬＥＤ５７ａ，５７ｂ，５７ｃ，５７ｄを緑色に点灯させ、受信したＩＤ信号に開コードが含まれている場合には、対応するＬＥＤ５７ａ，５７ｂ，５７ｃ，５７ｄを赤色に点灯させる。また、警戒モードにおいてモニタ側マイコン５４は、ＩＤ信号に開コードが含まれている場合には施解錠状態表示部５７のＬＥＤ５７ａ、５７ｂ，５７ｃ，５７ｄを赤色に点灯させるとともに、警報ブザー５８に警報信号を出力する。つまり、例えば、窓３のクレセント錠９が施錠状態から解錠状態に変化すると、施解錠状態表示部５７の第４ＬＥＤ５７ｄが緑色点灯から赤色点灯に変わって警報ブザー５８が鳴動することになる。
【００３５】
次に、第２センサ装置２０をモニタ装置５０に登録する手順、及びその際におけるモニタ装置５０と第２センサ装置２０との間の処理の流れについて図６及び図７に基づいて詳細に説明する。
【００３６】
＜登録作業＞
第２センサ装置２０をモニタ装置５０に登録する際には、図６に示すように、第２センサ装置２０をモニタ装置５０の載置面（図６に破線で示す）、すなわち密着位置指定マーク６６で囲まれた領域内に密着または近接させる（図６に一点鎖線で示す）。具体的には、第２センサ装置２０のセンサ側磁石２７をモニタ装置５０のモニタ側リードＳＷ６０に、センサ側リードＳＷ２４をモニタ側磁石６１に対向させた状態で第２センサ装置２０をモニタ装置５０の載置面に密着または近接させる。すると、モニタ装置５０と第２センサ装置２０との間で、図７に示す登録作業が自動的に開始される。
【００３７】
詳しくは、図７に示すようにモニタ装置５０は、第２センサ装置２０が載置面に密着または近接されてモニタ側リードＳＷ６０がセンサ側磁石２７によりオン状態となると、ステップ１００においてモニタ側リードＳＷ６０がオン状態であると判断して、ステップ１０１において通常モードから登録モードに切り換える。すなわち、第２センサ装置２０をモニタ装置５０の載置面に密着または近接させるだけでモニタ装置５０は登録モードになる。そして、施解錠状態表示部５７のＬＥＤ５７ａ、５７ｂ，５７ｃ，５７ｄのうちの一つが緑色点滅する。例えば、第２センサ装置２０を「２階窓２」として登録したい場合、モード切換ＳＷ５６を押圧操作して第４ＬＥＤ５７ｄが緑色点滅する状態にする（ステップ１０２）。
【００３８】
一方、第２センサ装置２０は、モニタ装置５０の載置面に密着または近接してセンサ側リードＳＷ２４がモニタ側磁石６１によりオン状態となると、ステップ１０３においてセンサ側リードＳＷ２４がオン状態であると判断して、ステップ１０４において登録モードになる。そして、続くステップ１０５において第２センサ装置２０は、登録信号を送信し、その後ステップ１０６において登録モードから監視モードに切り換える。
【００３９】
モニタ装置５０は、第２センサ装置２０から送信された登録信号を受信すると、ステップ１０７において第２センサ装置２０を自らに登録する。第２センサ装置２０の登録が完了すると、ステップ１０８においてモニタ装置５０は、施解錠状態表示部５７の第４ＬＥＤ５７ｄを緑色点滅から緑色点灯に切り換える。そして、第２センサ装置２０は、ステップ１０９において登録モードから通常モードに切り換える。
【００４０】
従って、本実施形態によれば以下のような効果を得ることができる。
（１）モニタ装置５０は、第２センサ装置２０が載置面に密着または近接されると、通常モードから登録モードに切り換える。第２センサ装置２０は、モニタ装置５０の載置面に密着または近接すると登録モードになって登録信号を送信する。この登録信号を受信したモニタ装置５０は、登録信号に基づいて第２センサ装置２０を自らに登録する。このため、モニタ装置５０の載置面に第２センサ装置２０を密着または近接させることにより、何ら操作部を操作することなく第２センサ装置２０をモニタ装置５０に登録することができる。したがって、第２センサ装置２０をモニタ装置５０の載置面に密着または近接させるといった容易な操作で第２センサ装置２０をモニタ装置５０に登録することができる。
【００４１】
（２）第２センサ装置２０をモニタ装置５０の載置面に密着または近接させることにより、第２センサ装置２０はモニタ装置５０に登録される。このため、モニタ装置５０の近くで第２センサ装置２０の登録作業を行うことができる。したがって、第２センサ装置２０がモニタ装置５０に登録されたことを確実に確認することができる。また、このようにモニタ装置５０の近くで第２センサ装置２０の登録作業の完了を確認することができることから、登録作業の完了をブザーの鳴動等によらないで、本実施形態におけるように第４ＬＥＤ５７ｄの点滅から点灯への変化で報知することが可能となる。このため、音による報知が困難な環境、例えば工事現場等の喧騒の場において第２センサ装置２０の登録作業を行ったとしても、登録作業の完了を確実に認識することができる。よって、セキュリティシステム８０の利便性を向上させることができる。
【００４２】
（３）第２センサ装置２０がモニタ装置５０の載置面に密着または近接された状態においては、センサ側リードＳＷ２４とモニタ側磁石６１とが対向するとともに、モニタ側リードＳＷ６０とセンサ側磁石２７とが対向する。このため、モニタ装置５０の載置面に第２センサ装置２０を密着または近接させると、センサ側リードＳＷ２４及びモニタ側リードＳＷ６０を確実にオン状態にすることができる。したがって、セキュリティシステム８０によれば、第２センサ装置２０をモニタ装置５０へ確実に登録することができる。
【００４３】
（４）第２センサ装置２０は、センサ側リードＳＷ２４により窓３の施解錠状態を監視するとともに、初期状態においてセンサ側リードＳＷ２４がオン状態となった場合には登録モードになる。つまり、第２センサ装置２０において、窓３の施解錠状態を検出する手段と、モニタ側磁石６１の磁界を検出する手段とは、センサ側リードＳＷ２４という形で共用されている。このため、モニタ側磁石６１の磁界を検出するための新たな検出手段を設けたり、またはこれとは反対に、窓３の施解錠状態を検出するための新たな検出手段を設けたりする必要がない。したがって、セキュリティシステム８０によれば、第２センサ装置２０の大型化を抑制することができる。
【００４４】
（５）第２センサ装置２０において、センサ側磁石２７は、被検出磁石２５がセンサ側リードＳＷ２４に接近した際にセンサ側リードＳＷ２４がオン状態となる磁界よりも小さな磁界をセンサ側リードＳＷ２４に印加するような位置に配置されている。すなわち、センサ側磁石２７は、センサ側リードＳＷ２４が被検出磁石２５の磁界を検出することで、センサ側マイコン２２によって窓３の施解錠状態が確実に検出される位置に配置されている。よって、センサ側磁石２７の存在によってセンサ側マイコン２２が窓３の施解錠状態を誤認識することがない。したがって、セキュリティシステム８０によれば、住宅１のセキュリティレベルの低下を抑制することができる。
【００４５】
（６）モニタ装置５０の施解錠状態表示部５７には、密着位置指定マーク６６が設けられている。ユーザは、第２センサ装置２０をモニタ装置５０に登録する際には、この密着位置指定マーク６６を目印にして第２センサ装置２０をモニタ装置５０の載置面に密着または近接させればよい。したがって、モニタ装置５０に第２センサ装置２０を登録する作業を迅速に行うことができ、セキュリティシステム８０の利便性を向上させることができる。
【００４６】
なお、本発明の実施形態は以下のように変更してもよい。
・前記実施形態においてモニタ装置５０は、第２センサ装置２０の登録完了時に第４ＬＥＤ５７ｄを緑色点滅から緑色点灯に切り換えることによって第２センサ装置２０の登録作業の完了を報知している。しかし、モニタ装置５０は、これに代わって、第２センサ装置２０の登録が完了した際に警報ブザー５８を所定時間（例えば３秒間）鳴動させることによりその旨を報知するようにしてもよい。つまり、第２センサ装置２０の登録完了をモニタ装置５０が報知する方法は、第４ＬＥＤ５７ｄの点灯態様の切り換えに限定されない。
【００４７】
・前記実施形態において第２センサ装置２０は、初期状態においてセンサ側リードＳＷ２４がオン状態となったときに登録モードになる。しかし、第２センサ装置２０が登録モードになるタイミングはこれに限定されず、例えば、第２センサ装置２０が登録モード切換スイッチを新たに備え、該登録モード切換スイッチの切換状態に基づいて登録モードに切り換わるようにしてもよい。詳しくは、登録モード切換スイッチは、例えばスライドスイッチから構成され、スライドノブの操作により登録モードと監視モードとを選択的に切り換え可能に構成されてもよい。そして、第２センサ装置２０は、登録モード切換スイッチのスライドノブが登録モード側にある状態においてセンサ側リードＳＷ２４がオン状態となったときに登録モードに切り換わるようにしてもよい。
【００４８】
・前記実施形態において磁気検出手段には、センサ側リードＳＷ２４及びモニタ側リードＳＷ６０に代わってＭＲＥ（磁気抵抗素子）やＧＭＲ（巨大磁気抵抗素子）等の磁気を検出する素子が適用されてもよい。また、検出手段は、前記実施形態における磁気検出手段に限定されない。例えば、モニタ装置５０の検出手段には、モニタ側リードＳＷ６０の代わりに近接センサが適用されてもよい。この場合、登録作業を行う際にモニタ装置５０と対向する第２センサ装置２０の表面の一部がセンサ側被検出体に相当する。要するに、センサ側磁石２７を割愛することも可能である。このようにしても、前記（１）〜（６）と同様の効果を得ることができる。
【００４９】
・前記実施形態において第２センサ装置２０が窓３の施解錠状態を検出する方法は、センサ側リードＳＷ２４のオン・オフ状態に基づいて検出する方法に限定されない。例えば、クレセント錠９の施錠レバー９ａと対向する位置に近接スイッチが設けられ、第２センサ装置２０は、同近接スイッチのオン・オフ状態に基づいて窓３の施解錠状態を検出するようにしてもよい。
【００５０】
・前記実施形態において、第２センサ装置２０はセンサ側磁石２７を備えず、モニタ装置５０はモニタ側リードＳＷ６０を備えない構成でもよい。この場合、第２センサ装置２０は、センサ側リードＳＷ２４のオン状態とオフ状態とのパターンに基づいて登録モードになるようにしてもよい。例えば、第２センサ装置２０は、センサ側リードＳＷ２４においてオン状態とオフ状態とが連続して４回繰り返されたときに登録モードになるようにしてもよい。そして、登録モードにおいて第２センサ装置２０は、更にセンサ側リードＳＷ２４が操作されたときに登録信号を送信するようにしてもよい。このようにセキュリティシステム８０が構成される場合、ユーザは、第２センサ装置２０をモニタ装置５０に近付けたりモニタ装置５０から遠ざけたりすることによって第２センサ装置２０を登録モードにすることができる。一方、モニタ装置５０は、ＩＤ信号を所定の時間内に連続して４つ受信したときに通常モードから登録モードに切り換えるようにしてもよい。このようにしても、モニタ装置５０の近傍で第２センサ装置２０のモニタ装置５０への登録作業を行うことができるので、第２センサ装置２０がモニタ装置５０に登録されたことを確実に確認することができる。
【００５１】
・前記実施形態においてモニタ装置５０は、登録信号に含まれる登録用ＩＤコードの代わりに、ＩＤ信号に含まれるＩＤコードを用いて第２センサ装置２０を自らに登録するようにしてもよい。詳しくは、第２センサ装置２０は、初期状態においてセンサ側リードＳＷ２４がオン状態となったときにＩＤ信号を送信するようにしてもよい。そして、モニタ装置５０は、登録モードにおいてＩＤ信号を受信した場合、該ＩＤ信号に含まれるＩＤコードを第２センサ装置２０を識別するものとしてＲＡＭに記録するようにしてもよい。
【００５２】
・本発明の状態監視システムの監視対象は、前記実施形態における窓２，３，４，５に限定されず、例えば玄関ドア６でもよい。また、状態監視システムは、例えば工場におけるクリーンルーム等の部屋を監視対象として、その室内温度、室内湿度、室内照度等を集中的に監視するシステムに適用されてもよい。この場合、センサ装置は、室内温度等を示す状態信号を送信することになる。
【００５３】
次に、前記実施形態から把握できる技術的思想について以下に追記する。
（１）請求項３及び請求項４に記載の発明において、前記モニタ装置には、前記載置面の領域を示す密着位置指定マークが設けられていること。
【００５４】
（２）監視対象の状態を検出して該監視対象の状態を示す状態信号及び登録用ＩＤコードを送信するセンサ装置と、該センサ装置の登録用ＩＤコードを自らに登録することにより前記センサ装置を識別して前記監視対象の状態を前記状態信号に基づいて監視するモニタ装置とを備えた状態監視システムにおいて、
前記センサ装置は、前記モニタ装置が備えるモニタ側被検出体が検出可能領域内に近接されたことを検出するセンサ側検出手段と、前記センサ側検出手段により前記モニタ側被検出体が検出された回数に基づいて前記登録用ＩＤコードを送信するセンサ側制御手段とを備え、
前記モニタ装置は、モニタ側被検出体と、前記状態信号の受信回数に基づいて前記登録用ＩＤコードを自らに登録する登録モードになって、該登録モードにおいて前記登録用ＩＤコードを受信した場合に該登録用ＩＤコードを登録するモニタ側制御手段とを備えること。
【００５５】
（３）請求項１〜４、技術的思想（１），（２）に記載の発明において、前記監視対象は、前記建物に備えられた窓またはドアであること。
【図面の簡単な説明】
【００５６】
【図１】本実施形態におけるセキュリティシステムが設けられた住宅の斜視図。
【図２】同実施形態のセキュリティシステムのブロック図。
【図３】同実施形態に用いられるセンサ装置の配設状態を示す斜視図。
【図４】同実施形態におけるセンサ装置の斜視図。
【図５】同実施形態におけるモニタ装置の正面図。
【図６】同実施形態において、センサ装置のモニタ装置への登録作業を示す模式図。
【図７】同登録作業におけるモニタ装置とセンサ装置との間の処理の流れを示すシーケンス図。
【符号の説明】
【００５７】
２，３，４，５…監視対象及び開閉体としての窓、１０，２０，３０，４０…センサ装置、２２…センサ側制御手段としてのセンサ側マイクロコンピュータ、２４…磁気検出手段としてのセンサ側リードスイッチ、２５…被検出磁石、２７…センサ側被検出体としてのセンサ側磁石、５０…モニタ装置、５４…モニタ側制御手段としてのモニタ側マイクロコンピュータ、６０…磁気検出手段としてのモニタ側リードスイッチ、６１…モニタ側被検出体としてのモニタ側磁石、８０…セキュリティシステム。
【図１】
2006029022.tif 000003
【図２】
2006029022.tif 000004
【図３】
2006029022.tif 000005
【図４】
2006029022.tif 000006
【図５】
2006029022.tif 000007
【図６】
2006029022.tif 000008
【図７】
2006029022.tif 000009